【手続補正書】
【提出日】平成16年12月10日(2004.12.10)
【手続補正１】
【補正対象書類名】明細書
【補正対象項目名】特許請求の範囲
【補正方法】変更
【補正の内容】
【特許請求の範囲】
【請求項１】
図柄表示装置に複数の識別図柄を変動状態および変動停止状態で順に表示し、複数の識別図柄の変動停止時の態様によって大当りの抽選結果を報知する構成のものにおいて、
パチンコ球が特別図柄始動口に入賞することに基いて変動パターンカウンタの計測値を取得する手段と、
複数の識別図柄を大当りの組合せで停止表示する大当り・停止順序が最終の識別図柄の変動停止前には大当りの組合せになる可能生が存在し且つ最終の識別図柄が変動停止したときには大当りの組合せにならない外れリーチ・停止順序が最終の識別図柄が変動停止する前に大当りの組合せになる可能性が消滅する完全外れをパチンコ球が前記特別図柄始動口に入賞することに基いて判定する手段と、
変動パターンカウンタの取得結果および大当り・外れリーチ・完全外れの判定結果に基いて変動パターンを設定する手段と、
複数の識別図柄の組合せが決まる様子を演出する動画面を表示するための演出パターンを変動パターンの設定結果に基いて設定する手段と、
前記図柄表示装置に演出パターンの設定結果に応じた動画面を表示する手段と、
前記図柄表示装置の動画面の今後の態様を予告する予告パターンを表示する手段と、
前記図柄表示装置の動画面の中で前記複数の識別図柄が変動開始してから所定の期間内で予告パターンの表示タイミングを変化させる手段と
を備えたことを特徴とする遊技機。
【請求項２】
カウンタを加算または減算する計測手段を備え、
予告パターンの表示タイミングを変化させる手段は、複数の表示タイミングの中から計測手段の計測値に応じたものを選択することに基づいて予告パターンの表示タイミングを設定する制御を行うことを特徴とする請求項１記載の遊技機。
【請求項３】
カウンタを加算または減算する第１の計測手段と、
識別図柄の変動回数を計測する第２の計測手段とを備え、
予告パターンの表示タイミングを変化させる手段は、第１の計測手段の計測値に基づいて予告パターンの表示の有無を選択し、複数の表示タイミングの中から第２の計測手段の計測値に応じたものを選択することに基づいて予告パターンの表示タイミングを設定する制御を行うことを特徴とする請求項１記載の遊技機。
【請求項４】
カウンタを加算または減算する計測手段を備え、
予告パターンの表示タイミングを変化させる手段は、計測手段の計測値を演算処理することに基づいて予告パターンの表示タイミングを設定する制御を行うことを特徴とする請求項１記載の遊技機。
【請求項５】
カウンタを加算または減算する第１の計測手段と、
識別図柄の変動回数を計測する第２の計測手段と、
識別図柄の変動回数と予告パターンの表示タイミングとの対応関係を示す複数のテーブルデータが記録された記録手段とを備え、
予告パターンの表示タイミングを変化させる手段は、複数のテーブルデータの中から第１の計測手段の計測値に応じたものを選択し、テーブルデータの選択結果の中から第２の計測手段の計測値に応じたものを選択することに基づいて予告パターンの表示タイミングを設定する制御を行うことを特徴とする請求項１記載の遊技機。
【請求項６】
図柄表示装置の画面が予告パターンの予告内容通りになる確率が予告パターンの表示タイミングに応じて設定されていることを特徴とする請求項１〜５のいずれかに記載の遊技機。
【請求項７】
予告パターンを表示する手段は、識別図柄が変動開始してから所定の期間内で同種の予告パターンを複数回表示する制御を行うことを特徴とする請求項１〜６のいすれかに遊技機。
【請求項８】
図柄表示装置の画面が予告パターンの予告内容通りになる確率が同種の予告パターンの表示回数に応じて設定されていることを特徴とする請求項７記載の遊技機。
【手続補正２】
【補正対象書類名】明細書
【補正対象項目名】０００３
【補正方法】変更
【補正の内容】
【０００３】
【課題を解決するための手段】
請求項１記載の遊技機は、図柄表示装置に複数の識別図柄を変動状態および変動停止状態で順に表示し、複数の識別図柄の変動停止時の態様によって大当りの抽選結果を報知する構成のものにおいて、パチンコ球が特別図柄始動口に入賞することに基いて変動パターンカウンタの計測値を取得する手段と、複数の識別図柄を大当りの組合せで停止表示する大当り・停止順序が最終の識別図柄の変動停止前には大当りの組合せになる可能生が存在し且つ最終の識別図柄が変動停止したときには大当りの組合せにならない外れリーチ・停止順序が最終の識別図柄が変動停止する前に大当りの組合せになる可能性が消滅する完全外れをパチンコ球が前記特別図柄始動口に入賞することに基いて判定する手段と、変動パターンカウンタの取得結果および大当り・外れリーチ・完全外れの判定結果に基いて変動パターンを設定する手段と、複数の識別図柄の組合せが決まる様子を演出する動画面を表示するための演出パターンを変動パターンの設定結果に基いて設定する手段と、前記図柄表示装置に演出パターンの設定結果に応じた動画面を表示する手段と、前記図柄表示装置の動画面の今後の態様を予告する予告パターンを表示する手段と、前記図柄表示装置の動画面の中で前記複数の識別図柄が変動開始してから所定の期間内で予告パターンの表示タイミングを変化させる手段とを備えたところに特徴を有している。
上記手段によれば、予告パターンの表示タイミングが変わるので、遊技者にとって予告パターンの出現タイミングが分からなくなる。このため、予告パターンが識別図柄の変動開始直後に出現しなかったときでも予告パターンの出現を期待する楽しみが残るので、画面を見詰める楽しさが継続的に得られる。しかも、識別図柄が変動開始してから所定の期間内で予告パターンが表示される。このため、図柄表示装置の画面が予告内容通りになった後で予告パターンが表示されることが確実になくなるので、予告のおもしろさが損なわれることがない。
【手続補正３】
【補正対象書類名】明細書
【補正対象項目名】０００４
【補正方法】変更
【補正の内容】
【０００４】
請求項２記載の遊技機は、カウンタを加算または減算する計測手段を備え、予告パターンの表示タイミングを変化させる手段が複数の表示タイミングの中から計測手段の計測値に応じたものを選択することに基づいて予告パターンの表示タイミングを設定する制御を行うところに特徴を有している。
上記手段によれば、予告パターンの表示タイミングがカウンタ値に応じてランダムに設定されるので、予告パターンの出現タイミングを全く予測できなくなる。このため、予告パターンが出現したときの意外感が高まるので、画面を見詰める楽しさが高まる。
【手続補正４】
【補正対象書類名】明細書
【補正対象項目名】０００５
【補正方法】変更
【補正の内容】
【０００５】
請求項３記載の遊技機は、カウンタを加算または減算する第１の計測手段と、識別図柄の変動回数を計測する第２の計測手段とを備え、予告パターンの表示タイミングを変化させる手段が第１の計測手段の計測値に基づいて予告パターンの表示の有無を選択し、複数の表示タイミングの中から第２の計測手段の計測値に応じたものを選択することに基づいて予告パターンの表示タイミングを設定する制御を行うところに特徴を有している。
上記手段によれば、予告パターンの表示の有無がカウンタ値に応じて設定され、予告パターンの表示タイミングが識別図柄の変動回数に応じて設定されるので、予告パターンの出現タイミングが予測不能なランダムなものになる。このため、予告パターンが出現したときの意外感が高まるので、画面を見詰める楽しさが高まる。
【手続補正５】
【補正対象書類名】明細書
【補正対象項目名】０００６
【補正方法】変更
【補正の内容】
【０００６】
請求項４記載の遊技機は、カウンタを加算または減算する計測手段を備え、予告パターンの表示タイミングを変化させる手段が計測手段の計測値を演算処理することに基づいて予告パターンの表示タイミングを設定する制御を行うところに特徴を有している。
上記手段によれば、予告パターンの表示タイミングを表引きするためのテーブルデータを記録手段に記録しておく必要がなくなるので、記録手段のデータ量が少なくなる。しかも、予告パターンの表示タイミングがカウンタ値に応じてランダムに設定されるので、予告パターンが意外なタイミングで出現する楽しさも味わうことができる。
【手続補正６】
【補正対象書類名】明細書
【補正対象項目名】０００７
【補正方法】変更
【補正の内容】
【０００７】
請求項５記載の遊技機は、カウンタを加算または減算する第１の計測手段と、識別図柄の変動回数を計測する第２の計測手段と、識別図柄の変動回数と予告パターンの表示タイミングとの対応関係を示す複数のテーブルデータが記録された記録手段とを備え、予告パターンの表示タイミングを変化させる手段が複数のテーブルデータの中から第１の計測手段の計測値に応じたものを選択し、テーブルデータの選択結果の中から第２の計測手段の計測値に応じたものを選択することに基づいて予告パターンの表示タイミングを設定する制御を行うところに特徴を有している。
上記手段によれば、カウンタ値に応じてテーブルデータがランダムに選択され、テーブルデータの選択結果の中から識別図柄の変動回数に応じて予告パターンの表示タイミングが設定されるので、予告パターンの出現タイミングが予測不能なランダムなものになる。このため、予告パターンが出現したときの意外感が高まるので、画面を見詰める楽しさが高まる。
【手続補正７】
【補正対象書類名】明細書
【補正対象項目名】０００９
【補正方法】変更
【補正の内容】
【０００９】
請求項７記載の遊技機は、予告パターンを表示する手段が識別図柄が変動開始してから所定の期間内で同種の予告パターンを複数回表示する制御を行うところに特徴を有している。
上記手段によれば、予告パターンを繰返し見ることができるので、図柄表示装置の画面を見詰める楽しさが高まる。